(57)【要約】【課題】より簡易な構造でワイヤーハーネスを安定して固定すること。【解決手段】プロテクタ１０は、ワイヤーハーネスを覆って外部から保護する部材である。ワイヤーハーネスを覆う形態で収容可能に形成され、ワイヤーハーネスを引き出す複数の開口端部を含み、複数の開口端部のうちの少なくとも一つの開口端部に平らに形成された底部２４を有する収容部２０と、収容部２０の開口端部のうちの底部２４から底部２４に沿って延出し、収容部２０の内周側に延出方向に直交する断面視において幅方向中途部に向けて徐々に深くなる樋状の凹面３３を有する固定用延出部３０とを備える。【選択図】図１
2014045608.tif 000002
【特許請求の範囲】
【請求項１】
ワイヤーハーネスを覆って外部から保護するプロテクタであって、
前記ワイヤーハーネスを覆う形態で収容可能に形成され、前記ワイヤーハーネスを引き出す複数の開口端部を含み、前記複数の開口端部のうちの少なくとも一つの前記開口端部に平らに形成された底部を有する収容部と、
前記収容部の前記開口端部のうちの前記底部から前記底部に沿って延出し、前記収容部の内周側に延出方向に直交する断面視において幅方向中途部に向けて徐々に深くなる凹面を有する固定用延出部と、
を備える、プロテクタ。
【請求項２】
請求項１に記載のプロテクタであって、
前記固定用延出部の凹面は、延出方向に直交する断面視において弧状に形成されている、プロテクタ。
【請求項３】
請求項１又は請求項２に記載のプロテクタであって、
前記固定用延出部は、前記底部の内周面から外周側の領域で延在する、プロテクタ。
【請求項４】
請求項１から請求項３のいずれか一項に記載のプロテクタであって、
前記固定用延出部は、前記底部のうちの幅方向中央部から延出する、プロテクタ。
【発明の詳細な説明】
【技術分野】
【０００１】
この発明は、ワイヤーハーネスを覆って保護する技術に関する。
【背景技術】
【０００２】
ワイヤーハーネスを覆って保護するプロテクタには、ワイヤーハーネスの相対移動を抑制するために、テープ止め等による固定用の延出片（ベラともいう）が設けられることがある。
【０００３】
特許文献１には、本体部と蓋部とを備え、本体部と蓋部とにそれぞれ設けた延出片としてのテープ巻き部にワイヤーハーネスを挟んで支持した状態で、テープ巻き部の外周にテープを巻き付けてワイヤーハーネスを保持するプロテクタが開示されている。すなわち、このプロテクタのテープ巻き部は、複数の異なる径のワイヤーハーネスを安定して固定可能に形成されている。
【先行技術文献】
【特許文献】
【０００４】
【特許文献１】特開平７−１２３５６４号公報
【発明の概要】
【発明が解決しようとする課題】
【０００５】
しかしながら、特許文献１に係るプロテクタは構造が複雑であり、本体部と蓋部との両方のテープ巻き部に対してテープを巻き付ける必要があるため、ワイヤーハーネスのプロテクタに対する保持作業も煩雑であった。
【０００６】
そこで、本発明は、より簡易な構造でワイヤーハーネスを安定して固定することを目的とする。
【課題を解決するための手段】
【０００７】
第１の態様は、ワイヤーハーネスを覆って外部から保護するプロテクタであって、前記ワイヤーハーネスを覆う形態で収容可能に形成され、前記ワイヤーハーネスを引き出す複数の開口端部を含み、前記複数の開口端部のうちの少なくとも一つの前記開口端部に平らに形成された底部を有する収容部と、前記収容部の前記開口端部のうちの前記底部から前記底部に沿って延出し、前記収容部の内周側に延出方向に直交する断面視において幅方向中途部に向けて徐々に深くなる凹面を有する固定用延出部とを備える。
【０００８】
第２の態様は、第１の態様に係るプロテクタであって、前記固定用延出部の凹面は、延出方向に直交する断面視において弧状に形成されている。
【０００９】
第３の態様は、第１又は第２の態様に係るプロテクタであって、前記固定用延出部は、前記底部の内周面から外周側の領域で延在する。
【００１０】
第４の態様は、第１から第３のいずれか一態様に係るプロテクタであって、前記固定用延出部は、前記底部のうちの幅方向中央部から延出する。
【発明の効果】
【００１１】
第１の態様に係るプロテクタによると、ワイヤーハーネスを覆う形態で収容可能に形成された収容部の複数の開口端部のうちの少なくとも一つの開口端部の平らに形成された底部から該底部に沿って延出する固定用延出部が、収容部の内周側に延出方向に直交する断面視において幅方向中途部に向けて徐々に深くなる凹面を有する。このため、ワイヤーハーネスを固定用延出部に載置した状態でテープ巻き等により固定することにより、固定用延出部に対してその幅方向におけるワイヤーハーネスの相対移動を抑制でき、より簡易な構造でワイヤーハーネスを安定して固定することができる。
【００１２】
第２の態様に係るプロテクタによると、固定用延出部の凹面が延出方向に直交する断面視において弧状に形成されているため、固定対象であるワイヤーハーネスが凹面に沿って配索され、ワイヤーハーネスをより安定して固定することができる。
【００１３】
第３の態様に係るプロテクタによると、固定用延出部が底部の内周面から外周側の領域で延在するため、収容部からのワイヤーハーネスの引き出し経路を滑らかにすることができる。
【００１４】
第４の態様に係るプロテクタによると、固定用延出部が収容部の底部のうちの幅方向中央部から延出しているため、収容部から引き出したワイヤーハーネスが固定用延出部の幅方向両端部に引っ掛かることを抑制できる。
【図面の簡単な説明】
【００１５】
【図１】プロテクタの概略全体斜視図である。
【図２】固定用延出部の側面図である。
【図３】固定用延出部の正面図である。
【図４】固定用延出部にワイヤーハーネスを固定した状態を示す斜視図である。
【発明を実施するための形態】
【００１６】
以下、実施形態に係るプロテクタ１０について説明する（図１、図４参照）。プロテクタ１０は、ワイヤーハーネス１２を覆って配索経路に沿った形態で外部から保護する部材である。例えば、このプロテクタ１０は、自動車等に配索されるワイヤーハーネス１２を配索経路の周辺部材から保護するために用いられる。
【００１７】
説明の便宜上、保護対象であるワイヤーハーネス１２について説明しておく。ワイヤーハーネス１２は、１本又は複数本の電線が束ねられて形成されている。このワイヤーハーネス１２は、通常、断面視円形の外周形状に束ねられており、ここではその例で説明する。
【００１８】
プロテクタ１０は、収容部２０と、固定用延出部３０とを備えている。そして、収容部２０の内部にワイヤーハーネス１２の保護対象部分を収容すると共に、ワイヤーハーネス１２のうちの該収容部２０の端部から延出する部分を固定用延出部３０に対して固定部材５０を用いて固定する。
【００１９】
収容部２０は、ワイヤーハーネス１２を覆う形態で内部に収容して、該ワイヤーハーネス１２を外部から保護する部分である。また、収容部２０は、内部に収容されるワイヤーハーネス１２を経路規制して配索経路に維持する機能も果たす。この収容部２０は、ワイヤーハーネス１２の配索経路に沿った形状に形成されている。収容部２０は、ワイヤーハーネス１２を収容可能に形成されると共に、外部にワイヤーハーネス１２を引き出すための開口端部を複数有している。
【００２０】
ここでは、収容部２０は、ワイヤーハーネス１２のうちの一本の配索経路に沿って配索される部分を収容可能に形成されている例で説明する。もっとも、収容部２０は、ワイヤーハーネス１２の配索経路に対応する形状に形成されていればよく、例えば分岐部分を保護する場合には分岐経路に対応した形状に形成されているとよい。
【００２１】
より具体的には、収容部２０は、配索経路に沿った方向の両端部にワイヤーハーネス１２を引き出す開口を有した筐状に形成されている。また、収容部２０は、複数（ここでは２つ）の開口端部のうちの少なくとも一つの開口端部に平らに形成された底部２４を有する。ここでは、収容部２０は、全体に亘って平らな底部２４を有しているものとする。
【００２２】
この収容部２０は、受部２２と、蓋部２８とを組み合わせて構成される。受部２２は、ワイヤーハーネス１２を収容可能な樋状に形成され、その底側に上記底部２４を有している。より具体的には、受部２２は、底部２４の両側縁部の両側縁部に一対の側壁部が立設された形状に形成されている。なお、この受部２２は、固定用延出部３０と一体成型されている。また、蓋部２８は、受部２２の上方開口を塞ぐことが可能な蓋状に形成された部分である。
【００２３】
そして、プロテクタ１０は、全体として、合成樹脂材料を射出成型等することにより、受部２２と固定用延出部３０とが一体となった第１部材と、蓋部２８である第２部材とをそれぞれ形成し、この２部材を合体させることにより構成される。なお、第１部材と第２部材との合体に係る構成は、凹凸嵌合等種々の構成を採用できる。もっとも、プロテクタ１０は、別々に形成された第１部材と第２部材とが合体されて構成される場合に限らず、種々の構成を採用することができる。例えば、プロテクタは、収容部２０を構成する受部２２と蓋部２８とがヒンジで連結されていてもよい。
【００２４】
固定用延出部３０は、ワイヤーハーネス１２のうちの収容部２０の端部から引き出される部分を固定するための部分である（図２、図３参照）。この固定用延出部３０は、収容部２０の開口端部のうちの底部２４から該底部２４に沿って延出している（図２参照）。固定用延出部３０は、本体部３２と、抜止め部３６とを有している。
【００２５】
本体部３２は、収容部２０の底部２４から延出する部分である。この本体部３２は、収容部２０の内周側に、延出方向に直交する断面視において幅方向中途部に向けて徐々に深くなる凹面３３を有する（図３参照）。ここでは、凹面３３は、延出方向に直交する断面視において弧状に形成されている。好ましくは、凹面３３の曲率半径は、プロテクタ１０による保護対象のワイヤーハーネス１２の外径と同じに設定されているとよい。また、ここでは、凹面３３は、幅方向中央部が最も深くなる形状に形成されている。すなわち、凹面３３上に載置されるワイヤーハーネス１２は、本体部３２の幅方向中央を通って配索される。また、本体部３２は、全体として、延出方向に直交する断面視において弧状の樋状に形成されている。
【００２６】
この本体部３２は、収容部２０の底部２４のうちの幅方向中央部から延出するようにもうけられている。なお、幅方向中央部とは、収容部２０の形状、設計上の誤差等により、本体部３２が底部２４に対して幅方向における厳密な中間点から僅かにずれる場合も含むものとする。すなわち、収容部２０の開口から引き出されるワイヤーハーネス１２が、本体部３２に沿って配索されることにより底部２４の幅方向において側方に偏らずにおおよその中央位置を通されるとよい。
【００２７】
また、固定用延出部３０は、収容部２０の底部２４の内周面から外周側の領域で延在している。すなわち、本体部３２のうち収容部２０の最も内周側に位置する幅方向両端部は、底部２４の内面と面一かそれより外周側（ここでは面一）に位置している。また、凹面３３の最深部は、収容部２０の底部２４の外面より内周側の位置に設定されている。
【００２８】
ワイヤーハーネス１２は、固定用延出部３０（本体部３２）に対して固定部材５０により固定される。ここでは、固定部材５０として粘着テープを用いる例で説明する。すなわち、固定用延出部３０の凹面３３に沿ってワイヤーハーネス１２が配設された状態で、ワイヤーハーネス１２と固定用延出部３０とに対して一体的に固定部材５０としての粘着テープを巻き付けて固定する。もっとも、固定部材５０は、粘着テープに限られるものではなく、輪部の周長を調節して締め付け可能な結束バンド、紐状部材、針金等を採用してもよい。
【００２９】
抜止め部３６は、ワイヤーハーネス１２を固定用延出部３０に固定する際に、本体部３２とワイヤーハーネス１２とを束ねる固定部材５０が本体部３２の先端部から抜け落ちることを抑制するための部分である。この抜止め部３６は、本体部３２の先端部から両側方に張り出す形状に形成されている。もっとも、抜止め部３６は、本体部３２の先端部から凹面３３とは反対側に張り出す形状に形成されていてもよいし、省略されてもよい。
【００３０】
次に、ワイヤーハーネス１２をプロテクタ１０にセットする工程について説明する。まず、収容部２０の受部２２の内側にワイヤーハーネス１２を配設する。
【００３１】
そして、ワイヤーハーネス１２のうちの受部２２の配索方向一方側から延出する部分を、固定用延出部３０の凹面３３上に配設する。これにより、ワイヤーハーネス１２のうちの受部２２の一方側から延出する部分は、底部２４の幅方向中央部を通って直線状の経路に維持される。
【００３２】
この状態で、固定部材５０により、ワイヤーハーネス１２を本体部３２に固定する。より具体的には、固定部材５０を、本体部３２のうちの抜止め部３６より基端側の位置でワイヤーハーネス１２及び本体部３２の外周部に巻き付ける。これにより、ワイヤーハーネス１２は、本体部３２の延出方向に直交する断面視において弧状に形成された凹面３３の最深部に寄った経路に維持される。
【００３３】
ワイヤーハーネス１２が固定された状態で、蓋部２８により受部２２の上方開口を閉じる。すなわち、第１部材と第２部材とを合体させる。これにより、ワイヤーハーネス１２がプロテクタにセットされる（図４参照）。
【００３４】
上記実施形態に係るプロテクタ１０によると、ワイヤーハーネス１２を覆う形態で収容可能に形成された収容部２０の複数の開口端部のうちの少なくとも一つの開口端部の平らに形成された底部２４から該底部２４に沿って延出する固定用延出部３０が、収容部２０の内周側に延出方向に直交する断面視において幅方向中途部に向けて徐々に深くなる凹面３３を有する。このため、ワイヤーハーネス１２を固定用延出部３０に載置した状態でテープ巻き等により固定することにより、固定用延出部３０に対してその幅方向におけるワイヤーハーネス１２の偏り、相対移動を抑制でき、より簡易な構造でワイヤーハーネス１２を安定して固定することができる。
【００３５】
また、簡易構造であるため、固定部材５０によりワイヤーハーネス１２を固定用延出部３０に固定する作業も、固定部材５０をワイヤーハーネス１２と固定用延出部３０の外周部に一体的に巻き付けるだけで容易である。さらに、プロテクタ１０自体の構成が簡易なため、成型用金型も簡易な形状にでき、金型費の低減にも寄与する。
【００３６】
また、固定用延出部３０に固定されるワイヤーハーネス１２は、凹面３３の最深部に寄って配索されるため、異なる複数の径のものでも対応可能であり安定して固定することができる。
【００３７】
また、固定用延出部３０は、凹面３３が延出方向に直交する断面視において幅方向中途部に向けて徐々に深くなる形状に形成されているため、延出方向に直交する方向における曲げに強い。これにより、ワイヤーハーネス１２のうちの収容部２０から引き出される部分をより確実に配索経路上に維持できる。
【００３８】
また、固定用延出部３０の凹面３３が延出方向に直交する断面視において弧状に形成されているため、固定対象であるワイヤーハーネス１２が凹面３３に沿って配索され、ワイヤーハーネス１２をより安定して固定することができる。
【００３９】
また、固定用延出部３０が底部２４の内周面から外周側の領域で延在するため、収容部２０から引き出したワイヤーハーネス１２が固定用延出部３０の幅方向両端部に引っ掛かることを抑制できる。
【００４０】
また、固定用延出部３０が収容部２０の底部２４のうちの幅方向中央部から延出しているため、収容部２０から引き出されるワイヤーハーネス１２をより正確に配索経路に配索することができる。また、収容部２０内においても、ワイヤーハーネス１２を設計上の配索経路に対してより正確に配索することができる。
【００４１】
これまで、固定用延出部３０の本体部３２が延出方向に直交する断面視において弧状に形成されている例で説明してきたが、これに限られるものではない。例えば、凹面は、本体部の延在方向に直交する断面視において緩やかなＶ字状、弧状以外で幅方向中途部に向けて徐々に深くなる曲線状に形成されていてもよい。また、本体部は、全体として樋状に形成されている形状に限らず、凹面のみが幅方向中途部に向けて徐々に深くなる形状に形成され、その反対側の部位は平面状に形成されていてもよい。
【００４２】
また、固定用延出部３０が、底部２４の内周面から外周側の領域で延在している例で説明してきたが、この構成に限られるものではない。例えば、固定用延出部３０は、本体部３２の両側端部が底部２４の内周面から内周側に突出すると共に、底部２４の内周面と凹面３３の最深部とが面一に設定されていてもよい。
【００４３】
また、固定用延出部３０が底部２４の幅方向中央部から延出する例で説明してきたが、この構成に限られるものではない。すなわち、固定用延出部３０は、ワイヤーハーネス１２の配索経路に応じて底部２４の幅方向におけるどの位置から延出するかを決定されるとよい。
【００４４】
以上のように、プロテクタ１０は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００４５】
１０  プロテクタ
１２  ワイヤーハーネス
２０  収容部
２４  底部
３０  固定用延出部
３３  凹面
【図１】
2014045608.tif 000003
【図２】
2014045608.tif 000004
【図３】
2014045608.tif 000005
【図４】
2014045608.tif 000006